【手続補正書】
【提出日】平成18年12月18日(2006.12.18)
【手続補正１】
【補正対象書類名】明細書
【補正対象項目名】特許請求の範囲
【補正方法】変更
【補正の内容】
【特許請求の範囲】
【請求項１】  基材及び該基材の少なくとも１の表面上の光互変性化合物を含む硬化したアミノプラスト樹脂被覆の組み合わせを包含する用品であって、該光互変性アミノプラスト樹脂被覆が以下の成分：
（ａ）（ｉ）（Ａ）水酸基；
（Ｂ）以下の構造で示されるカルバメート：
【化１】
2002532612.tif 000001
又は
【化２】
2002532612.tif 000002
［式中、Ａは−Ｃ−又は−Ｏ−であり、Ｒは水素又はＣ１〜Ｃ１８アルキル、又はＲはＡに結合されて５又は６員環の一部を形成する基であり、Ｒ’はＣ１〜Ｃ１８アルキルである。］；
（Ｃ）以下の構造で示される尿素：
【化３】
2002532612.tif 000003
［式中、Ｂは−Ｎ−であり、Ｒ”は水素又はＣ１〜Ｃ１８アルキル、又はＲ”はＢに結合されて及び５又は６員環の一部を形成する基である。］；又は
（Ｄ）該基（Ａ）、（Ｂ）及び（Ｃ）の混合物；
から選択されるアミノプラスト架橋剤と反応性の基を有する成分（該成分又は成分の混合物は（Ａ）、（Ｂ）、又は（Ｃ）から選択される少なくとも２の異なる反応性基を提供するように提供される。）；及び
（ｉｉ）（ａ）（ｉ）と反応性の少なくとも２の基を有するアミノプラスト架橋剤
の反応生成物；及び
（ｂ）光互変量の光互変性化合物、
を含有する被覆組成物から調製され、該成分（ａ）（ｉ）、（ａ）（ｉｉ）及び（ｂ）が全て２９．４℃（８５°Ｆ）光互変性性能試験で測定された、少なくとも４５〜１８０ニュートン／ｍｍ２のフィッシャー微小硬度、３０秒後に少なくとも０．１５の、及び８分後に少なくとも０．４７のΔＯＤ及び１８０秒以下の消色速度を特徴とする光互変特性を示す硬化被覆を提供するような割合で使用される、用品。
【請求項２】  前記硬化被覆が、少なくとも５５〜１６０ニュートン／ｍｍ２のフィッシャー微小硬度、３０秒後に少なくとも０.１６の、及び８分後に少なくとも０.５０のΔＯＤ、及び１４０秒以下の消色速度を示す請求項１記載の用品。
【請求項３】  前記硬化被覆が、少なくとも６０〜１５０ニュートン／ｍｍ２のフィッシャー微小硬度、３０秒後に少なくとも０.１７の、及び８分後に少なくとも０.５５のΔＯＤ、及び１００秒以下の消色速度を示す請求項１記載の用品。
【請求項４】  前記光互変性アミノプラスト樹脂被覆が、（ａ）（ｉ）の官能基及び（ａ）（ii）のアミノプラスト反応性基の間の硬化反応を促進するために触媒量の触媒を更に含有する請求項１記載の用品。
【請求項５】  前記触媒がリン酸、置換リン酸、スルホン酸、置換スルホン酸又はこれらの酸の混合物から選択される請求項４記載の用品。
【請求項６】  前記成分基（ａ）（ｉ）とアミノプラスト基（ａ）（ii）との当量比が０.５〜２.０:１である請求項１記載の用品。
【請求項７】  前記成分（ａ）（ｉ）が以下から選択される少なくとも２の異なる基を有する請求項１記載の用品：
（ａ）水酸基；
（ｂ）以下の構造で示されるカルバメート：
【化４】
2002532612.tif 000004
［式中、Ａは−Ｃ−又は−Ｏ−であり、Ｒは水素又はＣ１〜Ｃ６アルキルである］；又は
（ｃ）（ａ）及び（ｂ）の混合物。
【請求項８】  前記成分（ａ）（ｉ）がポリアクリルポリマー、ポリエステルポリマー、ポリウレタンポリマー、有機ポリオール又はそれらの混合物から選択される請求項１記載の用品。
【請求項９】  前記少なくとも２の水酸基有する成分がポリアクリルポリオール、ポリエーテルポリオール又はそれらの混合物から選択される請求項１記載の用品。
【請求項１０】  前記ポリアクリルポリオールが少なくとも２の水酸基有するエチレン性不飽和モノマーと水酸基を有しない少なくとも１の重合性エチレン性不飽和モノマーとのコポリマーである請求項９記載の用品。
【請求項１１】  前記アミノプラスト樹脂がメラミン、ホルムアルデヒド、及び要すれば１〜６の炭素原子を有するアルコールの縮合物である請求項１記載の用品。
【請求項１２】  前記アミノプラスト成分がメラミン、ホルムアルデヒド、及び１〜４の炭素原子を有するアルコールの縮合生成物である請求項１１記載の用品。
【請求項１３】  前記アミノプラスト樹脂の反応性基がメチロール、メチロールエーテル基、又はこれらの組合わせから選択される請求項１記載の用品。
【請求項１４】  前記光互変性成分が以下のものを含有する請求項１記載の用品：
（ａ）４００ｎｍ〜５２５ｎｍの可視λmaxを有する少なくとも１の光互変性化合物；及び
（ｂ）５２５ｎｍ〜７００ｎｍの可視λmaxを有する少なくとも１の光互変性化合物。
【請求項１５】  前記光互変性化合物がベンゾピラン、ナフトピラン、フェナントロピラン、キノピラン、インデノ縮合ナフトピラン、ベンズオキサジン、ナフトオキサジン、スピロ（インドリン）ピリドベンズオキサジン、金属ジチゾネート、フルギド、フルギミド又はそれらの混合物である請求項１４記載の用品。
【請求項１６】  前記光互変性アミノプラスト樹脂被覆が５〜２００μの厚さを有する請求項１記載の用品。
【請求項１７】  前記光互変性アミノプラスト樹脂被覆が１０〜４０μの厚さを有する請求項１６記載の用品。
【請求項１８】  前記基材が紙、ガラス、セラミック、木材、メーソンリー、テキスタイル、金属又はポリマー有機材料である請求項１記載の用品。
【請求項１９】  前記ポリマー有機材料が、ポリ（メチルメタクリレート）、ポリ（エチレングリコールビスメタクリレート）、ポリ（エトキシル化ビスフェノールＡジメタクリレート）、熱可塑性ポリカーボネート、ポリ（ビニルアセテート）、ポリビニルブチラール、ポリウレタン、ポリチオウレタン、及びジエチレングリコールビス（アリルカーボネート）モノマー、ジエチレングリコールジメタクリレートモノマー、エトキシル化フェノールメタクリレートモノマー、ジイソプロペニルベンゼンモノマー、エトキシル化トリメチロールプロパントリアクリレートモノマー及びそれらの混合物からなる群の要素のポリマーからなる群から選択される固体透明ポリマーである請求項１８記載の用品。
【請求項２０】  前記基材が光学エレメントである請求項１９記載の用品。
【請求項２１】  前記光学エレメントがレンズである請求項２０記載の用品。
【請求項２２】  前記レンズの屈折率が１.４８〜２.００である請求項２１記載の用品。
【請求項２３】  以下の成分：
（ａ）（ｉ）（Ａ）水酸基；
（Ｂ）以下の構造で示されるカルバメート：
【化５】
2002532612.tif 000005
又は
【化６】
2002532612.tif 000006
［式中、Ａは−Ｃ−又は−Ｏ−であり、Ｒは水素又はＣ１〜Ｃ１８アルキル、又はＲはＡに結合されて５又は６員環の一部を形成する基であり、Ｒ’はＣ１〜Ｃ１８アルキルである。］；
（Ｃ）以下の構造で示される尿素：
【化７】
2002532612.tif 000007
［式中、Ｂは−ＮＨ−、Ｒ”は水素又はＣ１〜Ｃ１８アルキル、又はＲ”はＢに結合されて５又は６員環の一部を形成する基である。］；又は
（Ｄ）該成分（Ａ）、（Ｂ）及び（Ｃ）の混合物；
から選択されるアミノプラスト架橋剤と反応する基を有する成分（但し、該成分（ａ）（ｉ）は（Ａ）、（Ｂ）又は（Ｃ）から選択される少なくとも２の異なる反応性基を提供するように提供される。）；及び
（ｉｉ）（ａ）（ｉ）と反応性の少なくとも２の基を有するアミノプラスト架橋剤；
の反応生成物；及び
（ｂ）光互変量の光互変性化合物
を含有する重合性組成物の重合体を包含する光互変性用品であって、該成分（ａ）（ｉ）、（ａ）（ｉｉ）および（ｂ）が、全て２９．４℃（８５°Ｆ）光互変性性能試験で測定された、少なくとも４５〜１８０ニュートン／ｍｍ２のフィッシャー微小硬度、３０秒後に少なくとも０．１５の、及び８分後に少なくとも０．４７のΔＯＤ、及び１８０秒以下の消色速度によって特徴づけられる光互変性性質を示す重合体を提供するような割合で使用される、用品。
【請求項２４】  前記重合性組成物が触媒量の触媒を更に含有する請求項２３記載の光互変性用品。
【請求項２５】  前記アミノプラスト樹脂の反応性基がメチロール、メチロールエーテル基、又はこれらの組合わせから選択される請求項２３記載の用品
【請求項２６】  前記用品がレンズである請求項２３記載の光互変性用品。
【請求項２７】  前記レンズが少なくとも０.５ｍｍの厚さを有する請求項２６記載の光互変性用品。
【手続補正２】
【補正対象書類名】明細書
【補正対象項目名】００２１
【補正方法】変更
【補正の内容】
【００２１】
式中、Ｂは−ＮＨ−であり、Ｒ”は水素又はＣ１〜Ｃ１８アルキル、好ましくはＣ１〜Ｃ６アルキル、又はＲ”はＢに結合されて５又は６員環の一部を形成する基である；又は
ｄ．このような官能基の混合物
（但し、該官能性成分又は官能性成分の混合物はアミノプラスト樹脂と反応する少なくとも２の異なる官能基を提供する。）。